(57)【特許請求の範囲】
【請求項１】
菓子などの搬送方向上流側の送り込み部から、順次供給される前記菓子などを、下流側の配列コンベア上に、複数列の縦列に配列する、菓子などの移乗配列装置であって、
前記上流側の送り込み部を、菓子などを一列縦隊に順次送り込むと共に鉛直軸を支点として水平方向に首振り自在な旋回コンベアと、該旋回コンベアと前記配列コンベアとの間にあって、前記配列コンベア上の各縦列に対応する位置に横移動自在とされ前記配列コンベア上の各縦列に対応する位置に前記菓子などを１個ずつ順に移乗する分配コンベアとで構成し、
前記旋回コンベアの下流側先端と前記分配コンベアの上流側先端とを回動自在に連結して、前記分配コンベアの横移動に連動して前記旋回コンベアが自在に旋回する構成とし、
前記旋回コンベアと前記分配コンベアとのコンベア速度を前記配列コンベアのコンベア速度よりも速い速度とし、
前記配列コンベアのコンベア速度を前記分配コンベアのコンベア速度よりも遅い一定速度とし、
前記分配コンベアの下流側のベルトの折り返し点を構成するベルト受け板を、スライドシリンダで支持して前記菓子などの搬送方向に水平移動自在とし、
前記配列コンベアのコンベア速度と、前記分配コンベアのコンベア速度と、菓子などを送り込むタイミングとから、走行中の配列コンベア上に横一列に整列することを繰り返しながら複数列の縦列に順次配列するように、前記分配コンベアの横移動と前記ベルト受け板の水平移動とを制御する制御装置を備えたことを特徴とする菓子などの移乗配列装置。
【請求項２】
前記ベルト受け板の先端に、ベルトの折り返し部材としてのナイフエッジ部材を装着し、前記ナイフエッジ部材を介して折り返されたベルトを前記配列コンベアの上面に接触しないように案内する従動ローラを設け、前記ベルト受け板と前記従動ローラとを連結フレームに一体的に装着し、
前記連結フレームを、前記制御装置による制御に応じて、菓子などの搬送方向に進退移動する進退移動手段を設けると共に、前記従動ローラを介して上流側に折り返されるベルトを掛け渡すガイドローラを設けたことを特徴とする請求項１に記載の菓子などの移乗配列装置。
【請求項３】
前記分配コンベアをスライドガイド部材を介して一体的に支持する支持フレームを設け、前記分配コンベアを前記スライドガイド部材に沿って横移動するスライド駆動手段を設けたことを特徴とする請求項２に記載の菓子などの移乗配列装置。
【請求項４】
前記制御装置は、前記スライド駆動手段と前記進退移動手段とを同時に制御して駆動し、菓子などを前記配列コンベア上に、横一列に整列することを繰り返しながら複数列の縦列に順次配列するように制御することを特徴とする請求項３に記載の菓子などの移乗配列装置。
【請求項５】
前記制御装置は、上流側の送り込み部から供給される菓子などを所定時間検知しない時に、前記分配コンベアを待機位置に戻すように制御することを特徴とする請求項４に記載の菓子などの移乗配列装置。
【発明の詳細な説明】
【技術分野】
【０００１】
本発明は、菓子などの移乗配列装置に関し、特に、上流側から順次送り込まれてくる菓子などを、配列コンベア上に複数列の縦列に配列する菓子などの移乗配列装置に関するものである。
【背景技術】
【０００２】
従来、上流側から順次送り込まれてくる菓子などを、配列コンベア上に複数列の縦列に配列する際には、図４に示すような旋回コンベアＡを用いている。
【０００３】
前記旋回コンベアＡは、例えば、移乗の対象としての菓子Ｐを一列縦隊で搬送し、受取面である配列コンベアＢ上に３列の縦隊列Ｐａ、Ｐｂ、Ｐｃに対応して１個ずつ順に移乗する。これが一通り終われば、その間停止していた配列コンベアＢを１ピッチだけ下流側に移動し、そこで再び停止して旋回コンベアＡによる菓子Ｐの３列への送り込みを行う構成である。
【０００４】
前記旋回コンベアＡは支点となる鉛直軸Ｃを中心として旋回（首振り）するので、この旋回コンベアＡを用いて、配列コンベアＢ上に菓子などを配列していくと、複数列の縦列に配列することはできるが、首振りしているので、その配列位置も所定の角度を生じ平行とはならず、正しい姿勢で横一列に整列することは困難である。
【０００５】
そのために、首振りする旋回コンベアと配列コンベアとの間に、横方向に平行移動する分配コンベアを別に設けて、停止状態の配列コンベア上に菓子などを複数列の縦列に正しく配列するとした菓子などの移乗配列装置が本出願人より既に出願されている（例えば、特許文献１参照）。
【特許文献１】特許第３５２７２８７号公報（第１−５頁、第３図）
【発明の開示】
【発明が解決しようとする課題】
【０００６】
旋回コンベアと分配コンベアとを用いれば、停止状態の配列コンベア上に菓子などを横一列に複数縦列整列することができる。しかし、配列コンベアを停止した状態で菓子などを移乗させているので、菓子などの搬送効率は悪く生産性が低くなる。さらには、配列コンベアの運転と停止を頻繁に繰り返す必要があるので、そのための制御装置と駆動装置とが複雑となり非効率である。
【０００７】
また、菓子などの移乗を生産性よく効率よく行うためには、搬送する送り込みコンベアの速度のままで配列コンベア上に配列していくことが望まれる。
【０００８】
さらには、配列コンベアの後工程のための取り込みを効率よく正確に行うためには、配列コンベア上に正しく横一列に配列することが求められている。
【０００９】
そのためには、搬送ラインの上流側の菓子などの送り込みコンベアと、下流側の配列コンベアとを停止することなく連続運転しながら、一列縦隊の送り込みコンベア上の菓子などを、配列コンベア上に複数列の縦列に整列させることが可能な移乗配列装置を提供する必要がある。
【００１０】
本発明の目的は、上記問題を解決するために、上流側から順次送り込まれてくる菓子などを、走行中の配列コンベア上に横一列に整列することを繰り返しながら複数列の縦列に配列可能とする菓子などの移乗配列装置を提供することである。
【課題を解決するための手段】
【００１１】
上記の目的を達成するために請求項１に係る発明は、菓子などの搬送方向上流側の送り込み部から、順次供給される前記菓子などを、下流側の配列コンベア上に、複数列の縦列に配列する、菓子などの移乗配列装置であって、前記上流側の送り込み部を、菓子などを一列縦隊に順次送り込むと共に鉛直軸を支点として水平方向に首振り自在な旋回コンベアと、該旋回コンベアと前記配列コンベアとの間にあって、前記配列コンベア上の各縦列に対応する位置に横移動自在とされ前記配列コンベア上の各縦列に対応する位置に前記菓子などを１個ずつ順に移乗する分配コンベアとで構成し、前記旋回コンベアの下流側先端と前記分配コンベアの上流側先端とを回動自在に連結して、前記分配コンベアの横移動に連動して前記旋回コンベアが自在に旋回する構成とし、前記旋回コンベアと前記分配コンベアとのコンベア速度を前記配列コンベアのコンベア速度よりも速い速度とし、前記配列コンベアのコンベア速度を前記分配コンベアのコンベア速度よりも遅い一定速度とし、前記分配コンベアの下流側のベルトの折り返し点を構成するベルト受け板を、スライドシリンダで支持して前記菓子などの搬送方向に水平移動自在とし、前記配列コンベアのコンベア速度と、前記分配コンベアのコンベア速度と、菓子などを送り込むタイミングとから、走行中の配列コンベア上に横一列に整列することを繰り返しながら複数列の縦列に順次配列するように、前記分配コンベアの横移動と前記ベルト受け板の水平移動とを制御する制御装置を備えたことを特徴としている。
【００１２】
上記の構成を有する請求項１に係る発明によれば、上流側の送り込み部から順次供給される菓子などを、横移動可能であり下流側のベルト受け板が菓子などの搬送方向に移動自在な分配コンベアを介して、下流側の配列コンベア上に横一列に整列することを繰り返しながら複数列の縦列に配列することができる。
【００１３】
請求項２に係る発明は、前記ベルト受け板の先端に、ベルトの折り返し部材としてのナイフエッジ部材を装着し、前記ナイフエッジ部材を介して折り返されたベルトを前記配列コンベアの上面に接触しないように案内する従動ローラを設け、前記ベルト受け板と前記従動ローラとを連結フレームに一体的に装着し、前記連結フレームを、前記制御装置による制御に応じて、菓子などの搬送方向に進退移動する進退移動手段を設けると共に、前記従動ローラを介して上流側に折り返されるベルトを掛け渡すガイドローラを設けたことを特徴としている。
【００１４】
上記の構成を有する請求項２に係る発明によれば、連結フレームを移動して、ベルト受け板のベルト折り返し部を進退移動することができ、菓子などの搬送位置を容易に変更することができる。さらには、周回するベルトの下流側方向への折り返し部材となるナイフエッジ部材と、上流側方向への折り返し部材となる従動ローラとを同時に同方向に移動するので、周回するベルトの長さを大きく変動させることなく、進退移動可能となる。
【００１５】
請求項３に係る発明は、前記分配コンベアをスライドガイド部材を介して一体的に支持する支持フレームを設け、前記分配コンベアを前記スライドガイド部材に沿って横移動するスライド駆動手段を設けたことを特徴としている。
【００１６】
上記の構成を有する請求項３に係る発明によれば、分配コンベアを横移動することで、菓子などを下流側の配列コンベア上の任意の横方向位置に配列可能であり、複数列の縦列に容易に配列することができる。
【００１７】
請求項４に係る発明は、前記制御装置が、前記スライド駆動手段と前記進退移動手段とを同時に制御して駆動し、菓子などを前記配列コンベア上に、横一列に整列することを繰り返しながら複数列の縦列に順次配列するように制御することを特徴としている。
【００１８】
上記の構成を有する請求項４に係る発明によれば、菓子などを所定の横方向位置と、所定の搬送方向位置とに搬送可能となり、配列コンベア上の所定位置に所定の順に正確に横一列に整列することを繰り返しながら複数列の縦列に順次配列することができる。
【００１９】
請求項５に係る発明は、前記制御装置が、上流側の送り込み部から供給される菓子などを所定時間検知しない時に、前記分配コンベアを待機位置に戻すように制御することを特徴としている。
【００２０】
上記の構成を有する請求項５に係る発明によれば、菓子などの搬送数量が揃わない場合には、分配コンベアを待機位置に戻すことで、新たな商品搬送に容易に対応可能となり、特別な制御装置を使用せずに容易に制御することができる。
【発明の効果】
【００２１】
本発明によれば、首振り自在な旋回コンベアと横移動自在な分配コンベアとを備える送り込み部としたので、上流側の送り込み部から順次供給される菓子などを、下流側の配列コンベア上に、複数列の縦列に配列することができる。さらに、前記分配コンベアの下流側のベルトの折り返し部を進退移動自在としたので、走行中の配列コンベア上の任意の位置に移乗可能となり、横一列に整列することを繰り返しながら複数列の縦列に順次配列することも可能となる菓子などの移乗配列装置を得ることができる。
【発明を実施するための最良の形態】
【００２２】
以下、本発明に係る菓子などの移乗配列装置の実施の形態について、図１から図４に基づいて説明する。
【００２３】
図１に示す菓子などの移乗配列装置Ｋは、菓子などを搬送する上流側から順に、旋回コンベア１と分配コンベア２と配列コンベアＢとを備えている。
【００２４】
前記旋回コンベア１は、床面に立設される鉛直軸３を介して、その周りを旋回可能に支持される架台４を備えている。また、ベルト５が受け板６を介して装着されている。受け板６は、その下流側の先端が、上面を走行するベルト５の折り返し点を構成するように下流側に向かって突出した状態である。また、ベルト５の弛みを吸収する吸収装置７を、受け板６の下面に設けて、ベルト５の循環経路の長さの変動を調節している。
【００２５】
受け板６はリニアベアリング８を介して架台４に架設されており、相対位置を変位可能な構成とされている。また、ベルト５はモータ９により回転されるプーリ１０を介して周回駆動される。
【００２６】
分配コンベア２は、棚板１１の上面に沿って横方向（菓子などの搬送方向と直交する方向）に平行移動する架台１２を備えており、ベルト受け板１４とベルト１３を備えている。ベルト受け板１４は、その下流側の先端が、上面を走行するベルト１３の折り返し点を構成するように下流側に向かって突出した状態である。また、ベルト１３の弛みを吸収する吸収装置１５を、ベルト受け板１４の下面に設けて、ベルト１３の循環経路の長さの変動を調節している。
【００２７】
ベルト１３は、モータ１６とプーリ１７を介して周回駆動されている。また、分配コンベア２は、レール１８上をスライド自在なリニアベアリング１９を備えるスライド駆動手段を介して、一体的に横移動可能な構成とされている。前記スライド駆動手段は、駆動軸２０を不図示の駆動モータにより回転駆動し、チェーン２１を介して駆動力を伝達している。
【００２８】
旋回コンベア１と分配コンベア２とは、回転軸２５とホルダー２６を備える連結アーム２４を介して旋回自在に連結されており、分配コンベア２が横移動しても、旋回コンベア１がその移動に連動して旋回し、菓子Ｐなどを確実に移乗して搬送することが可能となっている。
【００２９】
プーリ17を介してベルト受け板１４上を走行して周回するベルト１３は、折り返し部材として装着されるナイフエッジ部材３０を介して折り返されている。折り返されたベルト１３は、前記配列コンベア上を非接触状態に案内ガイドする従動ローラ３１と、架台１２に固着されるガイドローラ３２を巻回して周回している。また、従動ローラ３１とベルト受け板１４とは連結フレーム４０に一体的に装着されており、該連結フレーム４０を、菓子などの搬送方向に進退移動する進退移動手段２３を設けている。
【００３０】
前記進退移動手段２３としては、例えばモータで往復動可能なリニアシリンダやボールねじを適用可能であり、駆動モータの回転方向と回転量を制御することで、連結フレーム４０の進退移動量を制御することができる。つまり、ベルト１３の下流端となるナイフエッジ部材３０の位置を制御することができる。
【００３１】
ベルト１３は、ナイフエッジ部材３０と従動ローラ３１とガイドローラ３２、およびガイドローラ３３とプーリ17とに巻回しているので、ナイフエッジ部材３０と従動ローラ３１を一体的に装着している連結フレーム４０が進退移動した際、例えば、ナイフエッジ部材３０が３０Ａまで距離Ｌ１移動し、従動ローラ３１が３１Ａまで距離Ｌ２移動しても、Ｌ１＝Ｌ２であり、周回するベルトの下流側方向への折り返し部材となるナイフエッジ部材３０と、上流側方向への折り返し部材となる従動ローラ３１とを同時に同方向に移動するので、周回するベルト１３の長さを大きく変動させることなく、進退移動可能となる。つまり、ガイドローラ３２を介してベルト１３を図示するようにジグザグに巻回することで、ベルトの周回長さを変えることなく、ベルト下流の折り返し位置を変化させることができ、搬送する菓子などの移乗位置を変更することができる。
【００３２】
折り返し部材として使用しているナイフエッジ部材３０に代えて、小径の従動ローラ型の折り返し部材を用いることも可能である。ただし、搬送する物品が小さいものであれば、分配コンベア２から配列コンベアＢに移乗する際の落下距離を小さくでき、落下する際の傾斜角度を自在に設計可能なナイフエッジ部材３０が好適である。
【００３３】
また、受け板１４の下流側先端近傍にセンサ２２を配設して、ベルト１３に載って搬送される例えば菓子Ｐを検知する構成であれば、菓子Ｐの移乗位置を確定し易くなり、配列コンベアＢ上の配列位置を制御容易となり好適である。さらに、配列コンベアＢに移乗された菓子Ｐを検知するセンサをさらに設ける構成としてもよい。
【００３４】
５０は制御装置であり、前記配列コンベアＢのコンベア速度と、前記分配コンベア２のコンベア速度と、菓子などを送り込むタイミングとから、走行中の配列コンベアＢ上の所定位置に載置して複数列の縦列に順次配列するように、前記連結フレーム４０の横移動とベルト折り返し部の水平移動とを制御する構成である。
【００３５】
次に図２より一列縦隊に送られてくる菓子を３列の縦列に配列する態様について説明する。図２（ａ）には、旋回コンベア１と分配コンベア２とを直線状とした配置図を示し、図２（ｂ）には、分配コンベア２を一端側に移動し、旋回コンベア１と分配コンベア２とが斜めとなった配置図を示している。
【００３６】
旋回コンベア１と分配コンベア２とは、連結アーム２４を介して旋回自在に連結されているので、それぞれのベルト５、１３の間隙が拡がることがなく、それぞれのベルト上面に載置されて搬送される菓子Ｐなどを円滑に移乗することができる。そのために、分配コンベア２がレール１８上を横移動する動作に連動して、旋回コンベア１が旋回して、菓子Ｐなどを所定の位置に送り込む構成である。前述した通り、旋回コンベア１は鉛直軸３を回転軸として旋回自在であるので、分配コンベア２が、Ｐａ列、Ｐｂ列、Ｐｃ列と平行に横移動する動作に連動して自在に旋回する。
【００３７】
上記のような構成としているので、上流側の旋回コンベア１上を一列縦隊に送られてくる菓子Ｐなどを下流の配列コンベアＢ上に、複数列、例えば３列の縦列に配列していくことができる。また、この時に、分配コンベア２の下流側先端の折り返し部を、距離Ｌだけ進退移動自在としているので、菓子Ｐなどの移乗位置を前記の距離Ｌ間隔内で変位することができる。つまり、Ｐａ列、Ｐｂ列、Ｐｃ列とでその移乗位置を任意に変化させることが可能である。
【００３８】
また、分配コンベア２のコンベア速度Ｖａを配列コンベアＢのコンベア速度Ｖｂよりも高速とすることで、配列コンベアＢ上に移乗した第一の菓子位置に対して、その前後の任意の位置に次の菓子Ｐを移乗可能となる。そのために、より高速な分配コンベア２上を一列縦隊に送られてくる菓子Ｐを、低速の配列コンベアＢ上に横一列に３列の縦列に配列することも可能となる。この実施の形態では、Ｖａが１２ｍ／ｍｉｎであり、Ｖｂを２ｍ／ｍｉｎとしている。つまり、分配コンベア２のコンベア速度Ｖａを、配列コンベアＢのコンベア速度Ｖｂの6倍程度の高速としている。
【００３９】
上記のように、分配コンベア２のコンベア速度を、配列コンベアＢのコンベア速度に比べて５倍以上のはるかに高速としているので、Ｐａ列に最初の菓子Ｐ１を移乗して分配コンベア２が１ピッチ横移動してＰｂ列に到達した時に、配列コンベアＢ上に移乗された菓子Ｐ１は少し前進した状態となる。そのために、前述した連結フレーム４０を少し移動してベルトの折り返し位置をＬａ前進させることで、菓子Ｐ１と横一列となる位置に菓子Ｐ２をＰｂ列上に移乗することができる。さらに、１ピッチ横移動してＰｃ列に菓子Ｐ３を移乗する際には、ベルトの折り返し位置をさらにＬｂだけ前進させることで、菓子Ｐ１、Ｐ２と横一列の位置に菓子Ｐ３を移乗することができる。
【００４０】
つまり、分配コンベア２を１ピッチ毎に横移動すると共に、連結フレーム４０をＬａ、Ｌｂの長さ分前進させることで、菓子Ｐを配列コンベアＢ上に横一列に整列して移乗していくことが可能となる。横一列の所定数量の整列が終了すると、連結フレーム４０を最初のＰａ列に戻して次の横一列の移乗を行っていく。
【００４１】
さらに、分配コンベア２から配列コンベアＢへの移乗の際に、連結フレーム４０を少し引き戻す操作を組み込むと、前端部が配列コンベアＢの上面に接触した状態の菓子Ｐなどの後端部を、後方に引っ張りながら移乗することになり、姿勢の方向性を揃えることができ好適である。
【００４２】
これらの、分配コンベア２の横移動と連結フレーム４０前進移動の制御は前述した制御装置５０により行う構成であり、前記制御装置５０が、分配コンベア２を横移動するスライド駆動手段と、連結フレーム４０を進退移動する前記進退移動手段２３とを同時に制御して駆動することで、菓子などを前記配列コンベアＢ上に、横一列で複数列の縦列に配列することが可能となる。
【００４３】
前記制御装置５０は、配列コンベアＢのコンベア速度Ｖｂと、分配コンベア２のコンベア速度Ｖａを認識して、スライド駆動手段と進退移動手段２３とを同時に制御し、前記連結フレーム４０の横移動と前進移動の駆動を制御し、菓子などを送り込んで移乗するタイミングを設定することができる。つまり、制御装置５０により、走行中の配列コンベアＢ上に、予め設定される所定の配列位置に、横一列でも斜めにも順次整列していくことが可能となる。
【００４４】
前記分配コンベア２の横移動と前記連結フレーム４０の前進移動を所定量制御するためには、それぞれの駆動モータを、つまりスライド駆動手段および進退移動手段２３の駆動モータをそれぞれステッピングモータとすればよい。このような構成とすることで、それぞれの駆動モータの回転方向と回転量を任意に制御することが可能となり、分配コンベア２の横移動と連結フレーム４０の進退移動方向と移動量を正確に制御し、配列コンベアＢのコンベア速度Ｖｂに連動して、前記配列コンベアＢ上に菓子Ｐを順次所望の配列位置に移乗可能となる。
【００４５】
配列コンベアＢ上の菓子Ｐの配列は、一般に菓子Ｐが横一列に整列しているほうが好ましい。この配列であれば、配列コンベアＢ上に整列した菓子Ｐを順次取り出して後工程に送り出す際に、横一列の菓子Ｐを一斉に取り出して、所定ピッチ毎に整列されている横一列毎に順次送り出すことができる。
【００４６】
配列コンベアＢ上に順次配列していく移乗工程について、図３よりさらに詳細に説明する。図３（ａ）は移乗工程を説明する概略平面図であり、図３（ｂ）は側面図である。図に示すように、まず１番目のＰａ列の菓子Ｐ１を移乗する。次に、分配コンベア２を１ピッチ横移動して2番目のＰｂ列に移動し、連結フレーム４０を前進移動（距離Ｌａ分）して、ナイフエッジ部材３０の位置を、３０ａ位置から３０ｂ位置まで移動する。すると、所定の速いコンベア速度Ｖａで搬送されている菓子Ｐが菓子Ｐ２として移乗される。
【００４７】
この際に、前述した制御装置５０により、前記分配コンベア２の横移動と前記連結フレーム４０の前進移動を所定量制御する構成としているので、コンベア速度Ｖａよりも遅い速度Ｖｂで搬送されている菓子Ｐ１が少し前進した位置の真横に菓子Ｐ２を移乗することが可能となる。
【００４８】
Ｐｂ列に菓子Ｐ２を移乗した後で、分配コンベア２をさらに１ピッチ横移動して３番目のＰｃ列に移動し、連結フレーム４０をさらに前進移動（距離Ｌｂ分）して、ナイフエッジ部材３０の位置を、３０ｂ位置から３０ｃ位置まで移動し、菓子Ｐ３を移乗する。
【００４９】
この際にも、制御装置５０の制御操作により、菓子Ｐ１が存在すると算出される位置の真横に菓子Ｐ３を移乗可能となる。これは、コンベア速度Ｖｂで搬送される菓子Ｐ１の位置は、その載置した瞬間からの時間管理を行うことで容易に算出することができるからであり、菓子Ｐ１を移乗した時間と、次の菓子Ｐ２を移乗する時間と、３番目の菓子Ｐ３を移乗する時間から、分配コンベア２の横移動と連結フレーム４０の前進移動とをそれぞれ所定量制御することで、菓子Ｐ１、Ｐ２、Ｐ３を所定の位置関係に移乗して整列することができる。
【００５０】
連結フレーム４０が前進移動した時に、従動ローラ３１は３１ａから３１ｂ、３１ｃに移動し、ナイフエッジ部材３０が位置３０ａから３０ｂ、３０ｃ位置まで移動する。ナイフエッジ部材３０が前進移動すると、受け板１４の下側のベルトが前進方向に引き出されて、受け板１４の上側のベルトの位置は変化しない。つまり、ベルト１３上に載置している菓子Ｐの位置は変化せず、ただ、コンベア速度Ｖａで搬送され続けて、その移乗位置が前方に移動するだけである。
【００５１】
上記のような構成としているので、連結フレーム４０が前進移動すると、遅い搬送速度の配列コンベアＢの上に、速い搬送速度の分配コンベア２が延設されることになり、配列コンベアＢ上の横方向に順次配列される菓子Ｐの隣り合う位置関係を自在な位置とすることができる構成となる。
【００５２】
そのために、搬送する菓子Ｐなどを後工程として取り出し易い配置に整列可能であり、一斉に取り出し容易な横一列に整列することも容易に行える。前述した図４に示す従来の装置では、一旦停止した配列コンベア上に円弧状に移乗していくだけであり、連続走行中の配列コンベア上に横一列に菓子などを移乗していく本発明に係る移乗配列装置とは明らかに相違している。
【００５３】
また、移乗配列装置Ｋを連続運転容易とするために、前記制御装置５０は、上流側の送り込み部から供給される菓子Ｐなどを所定時間検知しない時に、前記分配コンベア２を待機位置に戻すよう予め設定しておくことが好適である。
【００５４】
この構成であれば、菓子などの搬送数量が揃わない場合には、分配コンベア２を待機位置に戻すことで、新規の新たな商品搬送に容易に対応可能となる。そのために、前述したセンサ２２が、一定時間菓子Ｐを検知しない時には、制御装置５０の指令により、分配コンベア２を待機位置（初期位置）に戻す構成とすることで、特別な制御装置を使用せずに容易に制御することができる。
【００５５】
上記したように、本発明によれば、上流側の送り込み部に、比較的高速で菓子などを搬送して所定ピッチで横移動自在な分配コンベアを配設しているので、比較的低速の下流側の配列コンベア上に、所定の複数列の縦列に順次配列していくことができる。
【００５６】
さらに、前記分配コンベアの下流側のベルトの折り返し部を構成するベルト受け部のベルト折り返し部を進退移動自在としたので、走行中の配列コンベア上に移乗する位置を自在に制御可能となり、複数列の縦列に横一列に配列することも可能な菓子などの移乗配列装置を得ることができる。
【図面の簡単な説明】
【００５７】
【図１】本発明に係る菓子などの移乗配列装置の一例の概略側面図である。
【図２】本発明に係る旋回コンベアと分配コンベアとの連結状態を示しており、（ａ）は、旋回コンベアと分配コンベアとを直線状とした状態の平面図であり、（ｂ）は、分配コンベアを横移動し旋回コンベアと斜めとなった状態の平面図である。
【図３】配列コンベア上に配列していく移乗工程を示す概略説明図であり、（ａ）は平面図であり、（ｂ）は側面図である。
【図４】従来の一般的な装置の作動を説明する平面図である。
【符号の説明】
【００５８】
１  旋回コンベア
２  分配コンベア
５  ベルト
１３  ベルト
３０  ナイフエッジ部材
４０  連結フレーム
５０  制御装置
Ｂ  配列コンベア
Ｋ  移乗配列装置
Ｐ  菓子
Ｖａ  コンベア速度（分配コンベアの）
Ｖｂ  コンベア速度（配列コンベアの）
【図１】
0005188165.tif 000002
【図２】
0005188165.tif 000003
【図３】
0005188165.tif 000004
【図４】
0005188165.tif 000005